(57)【要約】【課題】光路ずれを抑えることで、装置の機能低下を防ぐことが可能な画像形成装置の光走査装置を提供する。【解決手段】この光走査装置１は、ハウジング２と、このハウジング２内に設けられたポリゴンモータ３１と、ハウジング２内に設けられ、ポリゴンモータ３１の駆動力で回転しながら光を反射するポリゴンミラー３と、ハウジング２内に設けられ、ポリゴンミラー３で反射された光を基板６Ｃの受光素子６１に向けて反射する導光ミラー５６と、この導光ミラー５６を保持し、ハウジング２の右壁面２３に取り付けられるミラー保持部材７Ｃとを備えている。ハウジング２の右壁面２３には、当該ハウジング２の内外を連通する貫通孔２３ａが設けられている。また、ミラー保持部材７Ｃは、貫通孔２３ａを通してハウジング２の外部に露出するフィン７２を有している。【選択図】図４
2010048957.tif 000002
【特許請求の範囲】
【請求項１】
被走査体上を特定の方向に光を走査することで当該被走査体上に画像を形成するための画像形成装置の光走査装置であって、
ハウジングと、このハウジング内に設けられたポリゴンモータと、前記ハウジング内に設けられ、前記ポリゴンモータの駆動力で回転しながら光を反射するポリゴンミラーと、前記ハウジング内に設けられ、前記ポリゴンミラーで反射された光を所定の標的物に向けて反射するミラー部材と、このミラー部材を保持し、前記ハウジングの壁面に取り付けられるミラー保持部材とを備え、
前記ハウジングの壁面には、当該ハウジングの内外を連通する貫通孔が設けられており、
前記ミラー保持部材は、前記貫通孔を通して前記ハウジングの外部に露出する放熱部を有していることを特徴とする画像形成装置の光走査装置。
【請求項２】
前記ミラー保持部材は、前記ミラー部材を保持するとともに前記貫通孔に嵌入される保持部を有し、
前記放熱部は、前記保持部に連設されて、前記保持部の嵌入状態で前記ハウジングの外面から外方に突出するフィンであることを特徴とする請求項１に記載の画像形成装置の光走査装置。
【請求項３】
前記標的物は、前記ハウジング内に設けられて、前記被走査体上の画像の書出し位置の制御を行う基板上の受光素子であり、
前記ミラー部材は、前記ポリゴンミラーで反射された光を前記受光素子に向けて反射する導光ミラーであることを特徴とする請求項１または２に記載の画像形成装置の光走査装置。
【発明の詳細な説明】
【技術分野】
【０００１】
本発明は、画像形成装置の光走査装置に関する。
【背景技術】
【０００２】
従来、プリンタ等の画像形成装置には、感光体ドラム（被走査体）上に静電潜像（画像）を書き込むための光走査装置（ＬＳＵ：レーザスキャナユニット）が具備されている（特許文献１）。
【０００３】
このような光走査装置は、レーザ光を発射する光源と、この光源から発射されたレーザ光を回転しながら反射するポリゴンミラーと、このポリゴンミラーを回転駆動するポリゴンモータと、ポリゴンミラーで反射されたレーザ光を感光体ドラム上に導くためのレンズやミラーからなる光学系とをハウジング内に備えることにより構成されている。そして、ポリゴンミラーで反射されたレーザ光が、前記光学系によって感光体ドラム上に導かれ、当該感光体ドラム上をその軸方向に走査することによって、感光体ドラム上に画像が書き込まれるようになっている。
【０００４】
また、光走査装置は、感光体ドラム上の画像の書出し位置を制御するための基板を備えている。この基板には、受光素子が取り付けられている。そして、ポリゴンミラーで反射されたレーザ光の一部が導光ミラー（ミラー部材）で反射されて前記受光素子に入射することにより、基板において画像書出し信号が生成され、この信号を基に、感光体ドラム上の画像の書出し位置が決定される。
【特許文献１】特開２００２−３２８３２１号公報
【発明の開示】
【発明が解決しようとする課題】
【０００５】
ところで、光走査装置のハウジング内は、ポリゴンミラーを回転駆動するポリゴンモータの熱によって比較的高温になる。このため、ミラーを保持する部材が熱変形した場合、反射光の光路がずれ、当該光走査装置が正常に機能しなくなる虞がある。
【０００６】
例えば、前記導光ミラーを保持する保持部材が熱変形を起こし、導光ミラーでの反射光の光路がずれた場合には、レーザ光が基板の受光素子に正確に入射しなくなり、感光体ドラム上の画像の書出し位置を正確に制御することが困難になる。この結果、画像ずれ等が発生し画像品質が低下する。なお、導光ミラーは、ハウジング内でも比較的高温になりやすい場所に配設されていることが多い。
【０００７】
本発明は、上記のような課題を解決するためになされたものであり、光路ずれを抑えることで、装置の機能低下を防ぐことが可能な画像形成装置の光走査装置を提供することを目的とする。
【課題を解決するための手段】
【０００８】
前記課題を解決するために、本発明は、被走査体上を特定の方向に光を走査することで当該被走査体上に画像を形成するための画像形成装置の光走査装置であって、ハウジングと、このハウジング内に設けられたポリゴンモータと、前記ハウジング内に設けられ、前記ポリゴンモータの駆動力で回転しながら光を反射するポリゴンミラーと、前記ハウジング内に設けられ、前記ポリゴンミラーで反射された光を所定の標的物に向けて反射するミラー部材と、このミラー部材を保持し、前記ハウジングの壁面に取り付けられるミラー保持部材とを備え、前記ハウジングの壁面には、当該ハウジングの内外を連通する貫通孔が設けられており、前記ミラー保持部材は、前記貫通孔を通して前記ハウジングの外部に露出する放熱部を有していることを特徴とする画像形成装置の光走査装置を提供するものである。
【０００９】
請求項２の発明は、請求項１に記載の画像形成装置の光走査装置において、前記ミラー保持部材は、前記ミラー部材を保持するとともに前記貫通孔に嵌入される保持部を有し、前記放熱部は、前記保持部に連設されて、前記保持部の嵌入状態で前記ハウジングの外面から外方に突出するフィンであることを特徴とするものである。
【００１０】
請求項３の発明は、請求項１または２に記載の画像形成装置の光走査装置において、前記標的物は、前記ハウジング内に設けられて、前記被走査体上の画像の書出し位置の制御を行う基板上の受光素子であり、前記ミラー部材は、前記ポリゴンミラーで反射された光を前記受光素子に向けて反射する導光ミラーであることを特徴とするものである。
【発明の効果】
【００１１】
本発明によれば、ポリゴンモータの発する熱によりハウジング内の温度が上昇し、ミラー部材を保持するミラー保持部材の温度が上昇しても、ハウジング内部よりも低温なハウジング外部に露出する放熱部によって、ミラー保持部材の熱がハウジングの外部に放出されるので、ミラー保持部材の温度が上昇し過ぎるのを抑えることができる。従って、ミラー保持部材の温度上昇による当該ミラー保持部材の熱変形、および、その熱変形に起因するミラー部材の位置ずれを抑えることができるので、ミラー部材で反射された光の光路がずれるのが抑えられる。これにより、反射光が標的物に正確に入射するので、当該光走査装置を正常に機能させることができる。
【００１２】
請求項２の発明によれば、ハウジングの外部に突出するフィンを、ミラー部材を保持する保持部に連設することにより、保持部の熱がフィンに効率良く伝達して当該フィンによってハウジング外部に放射されるので、保持部の熱変形、および、ミラー部材の位置ずれが十分に防がれる。また、単なる凸状の放熱部に比べて表面積の大きいフィンを設けることで、放熱性がより向上する。
【００１３】
請求項３の発明によれば、導光ミラーを保持するミラー保持部材の熱変形、および、その熱変形に起因する導光ミラーの位置ずれを抑えることができるので、導光ミラーで反射された光を受光素子に正確に入射させることができる。これにより、被走査体上の画像の書出し位置の制御を正確に行うことができるようになり、画像ずれの少ない高品質な画像を提供することができるようになる。
【発明を実施するための最良の形態】
【００１４】
以下、本発明の実施形態を図面に基づいて説明する。
【００１５】
図１は、本発明の一実施形態によるプリンタの全体構成を示した正面断面図である。また、図２および図３は、プリンタの光走査装置の内部構成を示した図である。また、図４は、光走査装置のハウジングの右側壁に設けられた貫通孔と当該貫通孔に嵌入されるミラー保持部材とを示した斜視図であり、図５〜図７は、ハウジングの右側壁の貫通孔にミラー保持部材を嵌入した状態を示した図である。まず、図１を参照して、本発明の一実施形態によるプリンタ１００の全体構成について説明する。
【００１６】
本実施形態のプリンタ１００は、図１に示すように、装置本体１１内に、画像を形成しその画像を用紙Ｐに転写する画像形成部１２と、用紙Ｐに転写された画像に定着処理を施す定着部１３と、画像形成用の用紙Ｐを貯留する用紙貯留部１４とが設けられるとともに、当該装置本体１１の上部に定着処理後の用紙Ｐを排出するための用紙排出部１５が設けられることによって構成されている。
【００１７】
画像形成部１２は、用紙貯留部１４から給紙された用紙Ｐにトナー像を形成するものであり、本実施形態では、上流側（図１における左側）から下流側（図１における右側）に向けて、マゼンタ用ユニット１２Ｍ、シアン用ユニット１２Ｃ、イエロー用ユニット１２Ｙおよびブラック用ユニット１２Ｋがこの順で配設されている。
【００１８】
そして、各ユニット１２Ｍ，１２Ｃ，１２Ｙ，１２Ｋでは、感光体ドラム（被走査体）１２１の周面に沿うように、当該感光体ドラム１２１の図１における直下位置から時計方向に向けて帯電装置１２２、現像装置１２３、１次転写ローラ１２４およびクリーニング装置１２５が配設されている。また、帯電装置１２２のさらに下方位置には、光走査装置（ＬＳＵ：レーザスキャナユニット）１が配設されている。本実施形態では、２つの光走査装置１が左右に隣接して配設されている。左側の光走査装置１は、マゼンタ用ユニット１２Ｍおよびシアン用ユニット１２Ｃに対応しており、右側の光走査装置１は、イエロー用ユニット１２Ｙおよびブラック用ユニット１２Ｋに対応している。
【００１９】
感光体ドラム１２１の周面は、静電潜像やトナー像を形成するのに適したアモルファスシリコン層となっている。
【００２０】
帯電装置１２２は、コロナ放電によって感光体ドラム１２１の周面に一様な電荷を付与するものである。
【００２１】
光走査装置１は、レーザ光を回転している感光体ドラム１２１の周面に照射するとともに感光体ドラム１２１の軸方向に走査し、これによる感光体ドラム１２１周面の電荷の消去によって当該感光体ドラム１２１の周面に静電潜像（画像）を書き込むものである。この光走査装置１は、上面開口の箱型のハウジング２と、このハウジング２の上面を覆うとともに、レーザ光を通過させるための開口部を適所に有するカバー体２ａとを備えている。光走査装置１については、後記に詳述する。
【００２２】
現像装置１２３は、感光体ドラム１２１の周面の静電潜像が形成された部分にトナーを供給することによって、当該周面にトナー像を形成するものである。
【００２３】
また、感光体ドラム１２１の上方位置には、駆動ローラ１２６ａおよび従動ローラ１２６ｂ間に張設された転写ベルト１２６が当該感光体ドラム１２１に当接するように設けられている。この転写ベルト１２６は、各感光体ドラム１２１に対応して設けられた前記１次転写ローラ１２４によって感光体ドラム１２１の周面に押し付けられた状態で各感光体ドラム１２１と同期しながら周回するようになっている。
【００２４】
従って、転写ベルト１２６が周回することにより、当該転写ベルト１２６の表面の同一位置に対してマゼンタ用ユニット１２Ｍ、シアン用ユニット１２Ｃ、イエロー用ユニット１２Ｙおよびブラック用ユニット１２Ｋによるトナー像の転写が順次重ね塗り状態で行なわれ、これによって転写ベルト１２６の表面にカラーのトナー像が形成される。この転写ベルト１２６の表面に形成されたカラーのトナー像が用紙Ｐに転写されることになる。
【００２５】
クリーニング装置１２５は、転写処理後の感光体ドラム１２１の周面に残留しているトナーを取り除いて清浄化するためのものである。このクリーニング装置１２５によって清浄化された感光体ドラム１２１の周面は、次の画像形成処理のために再び帯電装置１２２に向かうことになる。
【００２６】
画像形成部１２の右方位置には、上下方向に延びる用紙搬送路１１１が形成されている。この用紙搬送路１１１には、適所に搬送ローラ対１１２が設けられ、用紙貯留部１４からの用紙Ｐがこの搬送ローラ対１１２の駆動で転写ベルト１２６に向けて搬送されるようになっている。
【００２７】
また、用紙搬送路１１１には、駆動ローラ１２６ａとの対向位置に転写ベルト１２６の表面に当接する２次転写ローラ１１３が設けられ、用紙搬送路１１１を搬送中の用紙Ｐが転写ベルト１２６と２次転写ローラ１１３とに押圧挟持されることによって、転写ベルト１２６上のトナー像が用紙Ｐに転写されるようになっている。
【００２８】
定着部１３は、内部に通電発熱体を備えた加熱ローラ１３１と、この加熱ローラ１３１の右方に配置された定着ローラ１３２と、加熱ローラ１３１および定着ローラ１３２間に張設された定着ベルト１３３と、この定着ベルト１３３を介して定着ローラ１３２と対向配置された加圧ローラ１３４とを備えている。
【００２９】
そして、転写ベルト１２６と２次転写ローラ１１３との間のニップ部を通過することにより転写ベルト１２６のトナー像が転写された状態で定着部１３に供給された用紙Ｐは、加圧ローラ１３４と定着ベルト１３３との間を通過しながら定着ベルト１３３からの熱を得て定着処理が施されるようになっている。
【００３０】
定着処理の完了した用紙Ｐは、定着部１３の上部から延設された排紙搬送路１１４を通って用紙排出部１５の排紙トレイ１５１に向けて排出されることになる。
【００３１】
用紙貯留部１４は、装置本体１１の側壁に開閉自在に設けられた手差しトレイ１４１と、装置本体１１内における光走査装置１より下方位置に挿脱可能に装着された用紙トレイ１４２とを備えて構成されている。
【００３２】
手差しトレイ１４１は、用紙Ｐを１枚ずつ手差し操作で画像形成部１２に向けて給紙するためのものである。
【００３３】
用紙トレイ１４２は、複数枚の用紙Ｐが積層されてなる用紙束Ｐ１を貯留可能に構成されている。この用紙トレイ１４２に貯留された用紙束Ｐ１の最上位の用紙Ｐは、ピックアップローラ１４３の駆動で用紙搬送路１１１に向けて繰り出されるようになっている。そして、繰り出された用紙Ｐは、搬送ローラ対１１２の駆動で用紙搬送路１１１を通って画像形成部１２に向けて送り込まれる。
【００３４】
次に、図１〜図３を参照して、図１における左側の光走査装置１の要部構成について説明する。なお、右側の光走査装置１は左側の光走査装置１とほぼ同一構成であるのでその詳細な説明を省略する。
【００３５】
光走査装置１は、前述のハウジング２にカバー体２ａを取り付けることで略密閉な空間を形成可能となっている。そして、光走査装置１は、図２に示すように、ハウジング２内に、ポリゴンミラー３と、マゼンタ用ユニット１２Ｍ（図１参照）に対応する発光ダイオード４Ｍおよび光学系５Ｍと、シアン用ユニット１２Ｃ（図１参照）に対応する発光ダイオード４Ｃおよび光学系５Ｃとを備えている。
【００３６】
ポリゴンミラー３は、ハウジング２の中央位置に設けられている。このポリゴンミラー３は、図３に示すように、ハウジング２の内底面２１に取り付けたポリゴンモータ３１の駆動軸３２に接続されており、ポリゴンモータ３１の駆動力で図２において時計回り方向に回転しながら各発光ダイオード４Ｍ，４Ｃからのレーザ光を反射するように構成されている。
【００３７】
発光ダイオード４Ｍは、ポリゴンミラー３の左前方位置に当該ポリゴンミラー３に臨む姿勢で設けられている。また、発光ダイオード４Ｃは、ポリゴンミラー３の右前方位置に当該ポリゴンミラー３に臨む姿勢で設けられている。
【００３８】
また、光学系５Ｍは、発光ダイオード４Ｍから発射されてポリゴンミラー３で反射されたレーザ光を、対応するマゼンタ用ユニット１２Ｍの感光体ドラム１２１の周面に導くためのものであり、ポリゴンミラー３の左方位置に設けられている。また、光学系５Ｃは、発光ダイオード４Ｃから発射されてポリゴンミラー３で反射されたレーザ光を、対応するシアン用ユニット１２Ｃの感光体ドラム１２１の周面に導くためのものであり、ポリゴンミラー３の右方位置に設けられている。
【００３９】
各光学系５Ｍ，５Ｃは、それぞれ、２つのｆθレンズ５１，５２と、３つの反射ミラー５３〜５５とにより構成されている。
【００４０】
そして、各発光ダイオード４Ｍ，４Ｃから後方に向けて発射されてポリゴンミラー３で反射されたレーザ光は、各光学系５Ｍ，５Ｃの一対のｆθレンズ５１，５２を通過した後、各光学系５Ｍ，５Ｃの３つの反射ミラー５３〜５５で順次反射され、各ユニット１２Ｍ，１２Ｃの感光体ドラム１２１の周面に導かれる（図２、図３中の点線参照）。これにより、各ユニット１２Ｍ，１２Ｃの感光体ドラム１２１上に画像が書き込まれる。
【００４１】
また、光走査装置１は、各ユニット１２Ｍ，１２Ｃの感光体ドラム１２１上の画像の書込み開始位置、つまり画像の書出し位置を制御するための基板６Ｍ，６Ｃを備えている。基板６Ｍは、マゼンタ用ユニット１２Ｍに対応しており、ポリゴンミラー３の前方位置に設けられている。基板６Ｃは、シアン用ユニット１２Ｃに対応しており、ポリゴンミラー３の後方位置に設けられている。
【００４２】
各基板６Ｍ，６Ｃには、それぞれ、受光素子６１が設けられている。なお、受光素子６１は、本発明の「標的物」に相当する。
【００４３】
また、光走査装置１は、ポリゴンミラー３で反射されたレーザ光の一部を各受光素子６１に導くための導光ミラー（ミラー部材）５６、反射ミラー５７およびレンズ５８をそれぞれ備えている。
【００４４】
導光ミラー５６は、ポリゴンミラー３で反射されてｆθレンズ５１，５２を通過したレーザ光を反射ミラー５７に向けて反射するものである。図２に示すように、マゼンタ用の導光ミラー５６は、ハウジング２内の左前方位置に設けられており、シアン用の導光ミラー５６は、ハウジング２内の右後方位置に設けられている。
【００４５】
反射ミラー５７は、導光ミラー５６からの光をレンズ５８に向けて反射するものである。
【００４６】
レンズ５８は、反射ミラー５７からの光を通過させて受光素子６１へ導くためのものである。
【００４７】
また、各導光ミラー５６は、それぞれ、当該導光ミラー５６で反射された光が所定光路を通って受光素子６１に正確に入射する姿勢で、ミラー保持部材７Ｍ，７Ｃに保持されている。
【００４８】
ミラー保持部材７Ｍは、ハウジング２の左壁面２２に取り付けられており、ミラー保持部材７Ｃは、ハウジング２の左壁面２３に取り付けられている。
【００４９】
以下、図４〜図７を参照して、ミラー保持部材７Ｃの構成について説明する。なお、ミラー保持部材７Ｍは、ミラー保持部材７Ｃとほぼ同様の構成であるのでその詳細な説明を省略する。
【００５０】
ミラー保持部材７Ｃは、例えば金属材料や樹脂材料からなり、図４に示すように、導光ミラー５６を保持する保持部７１と、この保持部７１に連設されるフィン（放熱部）７２とを有している。
【００５１】
また、本実施形態の光走査装置１では、ハウジング２の右壁面２３に、図４に示すように、当該ハウジング２の内外を連通する貫通孔２３ａが設けられている。ミラー保持部材７Ｃは、この貫通孔２３ａに嵌め込まれることでハウジング２に取り付けられている。
【００５２】
保持部７１は、図５に示すように、当該保持部７１に保持される導光ミラー５６がハウジング２内に位置する状態で前記貫通孔２３ａに嵌入されるものである。
【００５３】
フィン７２は、図６および図７に示すように、それぞれが水平方向に拡がるとともに互いに上下に所定間隔を隔てて並ぶ８つの板材から構成されている。このフィン７２は、保持部７１を貫通孔２３ａに嵌入した状態では、ハウジング２の右壁面２３から右方に突出して当該ハウジング２の外部に露出している。
【００５４】
そして、各発光ダイオード４Ｍ，４Ｃから発射されてポリゴンミラー３で反射されたレーザ光の一部は、各光学系５Ｍ，５Ｃの一対のｆθレンズ５１，５２を通過して反射ミラー５３で反射された後、導光ミラー５６および反射ミラー５７で反射され、レンズ５８を通過して各基板６Ｍ，６Ｃの受光素子６１に入射する（図２、図３中の一点鎖線参照）。これにより、各基板６Ｍ，６Ｃにおいて画像書出し信号が生成され、この信号を基に、感光体ドラム１２１上の画像の書出し位置が決定される。
【００５５】
ところで、光走査装置１００では、ポリゴンモータ３１の駆動による発熱によりハウジング２内の温度が上昇する。そして、前記ミラー保持部材７Ｃ（７Ｍ）の設置箇所は、ハウジング２内でも比較的高温になりやすい場所である。このことから、ミラー保持部材７Ｃ（７Ｍ）の保持部７１の温度が上昇し過ぎた場合、当該ミラー保持部材７Ｃ（７Ｍ）の温度上昇に起因して保持部７１の熱変形、および、導光ミラー５６の位置ずれが発生することがある。
【００５６】
しかし、本実施形態では、ミラー保持部材７Ｃ（７Ｍ）にハウジング２の外部に露出するフィン７２を設けたため、フィン７２による空冷放熱作用によって、ミラー保持部材７Ｃ（７Ｍ）の温度が上昇し過ぎるのが抑えられる。従って、導光ミラー５６の位置ずれ、および、その位置ずれに起因する反射光の光路ずれ（図３中の二点鎖線参照）が抑えられる。
【００５７】
本実施形態の光走査装置１によれば、ポリゴンモータ３１の発する熱によりハウジング２内の温度が上昇（約４５℃）し、導光ミラー５６を保持するミラー保持部材７Ｃの温度が上昇しても、ハウジング２内部よりも低温なハウジング２外部に露出するフィン７２によって、ミラー保持部材７Ｃの熱がハウジング２の外部に放出されるので、ミラー保持部材７Ｃの温度が上昇し過ぎるのを抑えることができる。従って、ミラー保持部材７Ｃの温度上昇による当該ミラー保持部材７Ｃの熱変形、および、その熱変形に起因する導光ミラー５６の位置ずれを抑えることができるので、導光ミラー５６で反射された光の光路がずれるのが抑えられる。これにより、反射光が基板６Ｃの受光素子６１に正確に入射するので、当該光走査装置１を正常に機能させることができる。
【００５８】
また、本実施形態の光走査装置１によれば、ハウジング２の外部に突出するフィン７２を、導光ミラー５６を保持する保持部７１に連設することにより、保持部７１の熱がフィン７２に効率良く伝達して当該フィン７２によってハウジング２外部に放射されるので、保持部７１の熱変形、および、導光ミラー５６の位置ずれが十分に防がれる。また、単なる凸状の放熱部に比べて表面積の大きいフィン７２を設けることで、放熱性がより向上する。
【００５９】
また、本実施形態の光走査装置１によれば、導光ミラー５６を保持するミラー保持部材７Ｃの熱変形、および、その熱変形に起因する導光ミラー５６の位置ずれを抑えることができるので、導光ミラー５６で反射された光を受光素子６１に正確に入射させることができる。これにより、感光体ドラム１２１上の画像の書出し位置の制御を正確に行うことができるようになり、画像ずれの少ない高品質な画像を提供することができるようになる。
【００６０】
なお、本実施形態においては、本発明を画像形成装置としてのプリンタ１００に適用する例について示したが、これに限らず、複写機やファクシミリ装置にも本発明を適用可能である。
【００６１】
また、本実施形態では、本発明を、光走査装置１の導光ミラー５６を保持するミラー保持部材７Ｃ（７Ｍ）に適用したが、これに限らず、他のミラーを保持する保持部材にも適用可能である。例えば、ポリゴンミラー３で反射された光を感光体ドラム１２１に導くための反射ミラーを保持する保持部材に本発明を適用した場合、反射光が感光体ドラム１２１上を正確に走査するようになるので、画像ずれ等の少ない高品質の画像を提供することができる。
【００６２】
また、本実施形態では、導光ミラー５６を保持する保持部７１にフィン７２を連設してなるミラー保持部材７Ｃ（７Ｍ）について示したが、これに限らず、従来からのミラーを保持する部材に、放熱部としてのフィン７２を別途取り付ける構成であってもよい。
【００６３】
また、本実施形態では、フィン７２によって空冷放熱する例について示したが、フィン以外の形状の放熱部によって放熱する構成であってもよい。また、単にミラー保持部材７Ｃ（７Ｍ）の一部をハウジング２の外部に露出させて放熱作用を得る構成であってもよい。
【図面の簡単な説明】
【００６４】
【図１】本発明の一実施形態によるプリンタの全体構成を示した正面断面図である。
【図２】プリンタの光走査装置の内部構成を示した平面図である。
【図３】図２中のＩＩＩ−ＩＩＩ線に沿った断面図である。
【図４】光走査装置のハウジングの右側壁に設けられた貫通孔と当該貫通孔に嵌入されるミラー保持部材とを示した斜視図である。
【図５】ハウジングの右側壁の貫通孔にミラー保持部材を嵌入した状態を示した斜視図である。
【図６】ハウジングの右側壁の貫通孔にミラー保持部材を嵌入した状態を図５とは異なる角度から見た斜視図である。
【図７】ハウジングの右側壁の貫通孔にミラー保持部材を嵌入した状態を示した断面図である。
【符号の説明】
【００６５】
１  光走査装置
２  ハウジング
３  ポリゴンミラー
６Ｍ，６Ｃ  基板
７Ｍ，７Ｃ  ミラー保持部材
２２  左側壁
２３  右側壁
２３ａ  貫通孔
３１  ポリゴンモータ
５６  導光ミラー（ミラー部材）
６１  受光素子（標的物）
７１  保持部
７２  フィン（放熱部）
１００  プリンタ（画像形成装置）
１２１  感光体ドラム（被走査体）
【図１】
2010048957.tif 000003
【図２】
2010048957.tif 000004
【図３】
2010048957.tif 000005
【図４】
2010048957.tif 000006
【図５】
2010048957.tif 000007
【図６】
2010048957.tif 000008
【図７】
2010048957.tif 000009